(57)【要約】【課題】打ち消し対象の音の音量変化に対する打ち消し音の音量制御の追従性を改善する音響装置を提供することを課題とする。【解決手段】空間で音声を発生しつつ、空間の一部である所定位置の音を消音する音響装置１であって、空間で発生させる音響コンテンツの音源である第一のコンテンツ信号を含む音声信号を増幅する第一の増幅部６Ｆ（Ｒ）と、空間に音声を発生させる第一のスピーカ３Ｆ（Ｒ）へ、第一の増幅部６Ｆ（Ｒ）が増幅した前記第一のコンテンツ信号を含む音声信号を出力する第一の出力部７Ｆ（Ｒ）と、を備え、第一の増幅部６Ｆ（Ｒ）は、第一のコンテンツ信号を打ち消す第一の消音信号を含む音声信号を増幅することを特徴とする。【選択図】図２
2009151145.tif 000002
【特許請求の範囲】
【請求項１】
空間で音声を発生しつつ、該空間の一部である所定位置の音を消音する音響装置であって、
前記空間で発生させる音響コンテンツの音源である第一のコンテンツ信号を含む音声信号を増幅する第一の増幅部と、
前記空間に音声を発生させる第一のスピーカへ、前記第一の増幅部が増幅した前記第一のコンテンツ信号を含む音声信号を出力する第一の出力部と、を備え、
前記第一の増幅部は、前記第一のコンテンツ信号を打ち消す第一の消音信号を含む音声信号を増幅することを特徴とする、
音響装置。
【請求項２】
前記所定位置に音声を発生させる第二のスピーカへ、前記第一の増幅部が増幅した音声信号であって前記第一の消音信号を含む音声信号を出力する第二の出力部を更に備える、
請求項１に記載の音響装置。
【請求項３】
前記第一の増幅部は、増幅した音声信号を前記第一の出力部と前記第二の出力部とへ出力し、
前記第一の出力部は、前記第一の増幅部から入力される前記第一のコンテンツ信号を含む音声信号を前記第一のスピーカへ出力し、
前記第二の出力部は、前記第一の増幅部から入力される音声信号を基に生成した前記第一のコンテンツ信号を打ち消す音声信号を前記第二のスピーカへ出力する、
請求項２に記載の音響装置。
【請求項４】
前記第一の増幅部は、入力される二つの音声信号を略同一の増幅率で並列に増幅処理する第一の増幅機能部と第二の増幅機能部とを有し、
前記第一の増幅機能部は、前記第一のコンテンツ信号を増幅して前記第一の出力部へ出力し、
前記音響装置は、前記第一の増幅機能部に入力される前記第一のコンテンツ信号を基に前記第一の消音信号を生成し、前記第二の増幅機能部に入力する第一の生成部を備え、
前記第一の出力部は、前記第一の増幅機能部が増幅した前記第一のコンテンツ信号を含む音声信号を前記第一のスピーカへ出力し、
前記第二の出力部は、前記第二の増幅機能部が増幅した前記第一の消音信号を含む音声信号を前記第二のスピーカへ出力する、
請求項２に記載の音響装置。
【請求項５】
前記第一の増幅部は、増幅率の変更操作を受け付ける操作部を更に有し、該操作部が増幅率の変更操作を受け付けると前記第一の増幅機能部と前記第二の増幅機能部の増幅率を同時に変更する、
請求項４に記載の音響装置。
【請求項６】
前記音響装置は、車両の車室内の空間で音声を発生する装置であり、
前記第一のスピーカは、車室内へ複数配置された座席のうち一の座席が配置される位置に音声を発生させるスピーカであり、
前記第二のスピーカは、前記複数配置された座席のうち他の座席が配置される位置に音声を発生させるスピーカである、
請求項２から５の何れかに記載の音響装置。
【請求項７】
前記第一のコンテンツ信号と異なる、前記空間で発生させる音声の音源である第二のコンテンツ信号を増幅する第二の増幅部を更に備え、
前記第一のスピーカは、前記空間内の第一の位置に音声を発生させるスピーカであり、
前記第二のスピーカは、前記空間内の前記第一の位置と異なる第二の位置に音声を発生させるスピーカであり、
前記第二の出力部は、
前記第二の増幅部が増幅した前記第二のコンテンツ信号と、
前記第一の消音信号とを、重畳した音声信号を前記第二のスピーカへ出力し、
前記第一の出力部は、
前記第一の増幅部が増幅した前記第一のコンテンツ信号と、
前記第二の増幅部が増幅した音声信号であって、前記第二の出力部が出力する前記第二のコンテンツ信号を打ち消す第二の消音信号とを、重畳した音声信号を前記第一のスピーカへ出力する、
請求項２から６の何れかに記載の音響装置。
【請求項８】
前記消音信号は、打ち消し対象のコンテンツ信号と位相が反転する信号である、
請求項１から７の何れかに記載の音響装置。
【発明の詳細な説明】
【技術分野】
【０００１】
本発明は、音響装置に関する。
【背景技術】
【０００２】
近年、音響技術の発達に伴い、同一空間内に居る複数のユーザが、空間内の音を互いに選択的に聴覚可能にする技術が提案されている。音を選択的に聴覚可能にする技術の適用により、同一空間を複数のユーザが共有する場合であっても、ユーザは所望の音を選択して聴覚することで、相手が所望する音と異なる音を聞いたりすることができる。
【０００３】
ここで、同一空間内で音を選択的に聴覚可能にするには、ユーザの耳に入る音の成分の中から、ユーザが所望しない音の成分を除去してやればよい。これを実現する技術として、図５に示すような音響装置１０２が提案されている。すなわち、図５に示すように、音を再生する再生部１０５Ｆ（Ｒ）と、再生部１０５Ｆ（Ｒ）が再生した音声信号を増幅するアンプ部１０６Ｆ（Ｒ）とを備え、アンプ部１０６Ｆ（Ｒ）が増幅した音をスピーカ１０３Ｆ（Ｒ）が出力する音響装置１０２において、スピーカ１０３Ｆ（Ｒ）から出力される音と逆位相の音声信号を生成する生成部１０４Ｆ（Ｒ）を設ける。そして、生成部１０４Ｆ（Ｒ）で生成された音をスピーカ１０３Ｒ（Ｆ）から出力させる。これにより、スピーカ１０３Ｒ（Ｆ）付近に居るユーザに、スピーカ１０３Ｆ（Ｒ）から発せられる音が聞こえなくなる。
【０００４】
この他、他のスピーカから出力される音響信号と逆位相の音響信号を生成し、生成した逆位相の音響信号を所望の音響信号と重畳してスピーカから出力する技術が提案されている（例えば、特許文献１や２を参照）。また、騒音の音量レベルの変化に応じて消去音信号のゲインを調整することで、騒音レベルの大小と無関係に騒音の低減化を可能にする技術が提案されている（例えば、特許文献３を参照）。
【特許文献１】特開２００５−２０２０５４号公報
【特許文献２】特開２００６−２２６８７２号公報
【特許文献３】特開平８−６５７１号公報
【発明の開示】
【発明が解決しようとする課題】
【０００５】
打ち消し対象の音を逆位相の音で打ち消す場合、打ち消し対象の音の音量に応じた音量の打ち消し音を生成する必要がある。ここで、打ち消し対象の音の音量が変化する場合、打ち消し音の音量制御がこの変化に追従しきれず、適切な音量の打ち消し音が過渡的に生成できていない状態が生じ得る。これは、打ち消し音の生成に要する処理時間に起因する。音量制御の追従の遅れにより打ち消し音の音量の過不足を招き、過渡的に音が打ち消しきれない状態になる。
【０００６】
本発明は、打ち消し対象の音の音量変化に対する打ち消し音の音量制御の追従性を改善する音響装置を提供することを課題とする。
【課題を解決するための手段】
【０００７】
本発明は、上記課題を解決するため、打ち消し音の音量制御をするにあたり、打ち消し音の音量制御を、打ち消し対象の音の音量制御と共に行うことにした。
【０００８】
詳細には、空間で音声を発生しつつ、該空間の一部である所定位置の音を消音する音響装置であって、前記空間で発生させる音響コンテンツの音源である第一のコンテンツ信号
を含む音声信号を増幅する第一の増幅部と、前記空間に音声を発生させる第一のスピーカへ、前記第一の増幅部が増幅した前記第一のコンテンツ信号を含む音声信号を出力する第一の出力部と、を備え、前記第一の増幅部は、前記第一のコンテンツ信号を打ち消す第一の消音信号を含む音声信号を増幅する。
【０００９】
打ち消し対象の音の音量が変化する際、打ち消し音の音量の変化が過渡的に追従し切れないのは、打ち消し対象の音量制御と打ち消し音の音量制御とが互いに異なる制御系で制御されていることに起因すると考えられる。例えば、打ち消し対象の音をサンプリングし、サンプリング結果をフィードバックして打ち消し音の音量制御に適用することでＡＮＣ（Active Noise Control）を行う場合、フィードバック処理に要する処理時間が発生する。ここで、空間に入る外乱等を消音する場合、この外乱を消音するのに必要な打ち消し音の音量を予め予測することは困難である。他方、打ち消し対象の音の音量変化が予め予測可能ならば、推定される音量変化に合わせて打ち消し音の音量制御を行うことで、上記処理時間による過渡的な追従遅れが生じなくなる。本発明は、同一空間のうち特定の位置の音だけを打ち消すような、例えば、パーソナル音響システムのような音響機器であれば、このような打ち消し対象の音の音量が予め予測可能であることに着目している。
【００１０】
すなわち、本発明は、空間で音響等の音声を発生することを前提としつつ、空間の一部である所定位置の音を消音する。ここで、所定位置とは、空間の一部であり、例えば、空間内のうち音声を発生させないことが望ましい位置である。なお、第一の増幅部と第一の出力部は、空間に音声を発生させる役割を主に司るが、これら機能部は音声を発生させることのみを役割とするものでなく、後述するが、打ち消し音を発生させる役割も司る場合がある。
【００１１】
上記音響装置は、打ち消し対象の音の音量変化を予測するため、増幅部（第一の増幅部）の増幅率の変化を打ち消し音の音量制御に用いることに着目している。すなわち、上記音響装置は、増幅部が増幅させたコンテンツ信号を基に、消音信号を生成している。例えば、第一の増幅部で増幅された第一のコンテンツ信号を基に消音信号を生成し、或いは第一の増幅部に入力される、第一の増幅部が増幅する前の第一のコンテンツ信号を基に生成した消音信号を第一の増幅部で増幅する。このように、一つの増幅部で、打ち消し対象の音量と打ち消し音の音量の両方の制御をさせることにより、結果的に打ち消し対象の音量を予測した打ち消し音の音量制御を実現している。従って、音量制御の追従性を改善することが可能になる。なお、本発明において、増幅部が増幅する消音信号とは、コンテンツ信号を打ち消すものとして生成された音声信号のみならず、コンテンツ信号を打ち消す信号を生成するための音声信号を含む概念である。
【００１２】
また、上記音響装置は、前記所定位置に音声を発生させる第二のスピーカへ、前記第一の増幅部が増幅した音声信号であって前記第一の消音信号を含む音声信号を出力する第二の出力部を更に備えるものであってもよい。
【００１３】
第二の出力部が所定の位置に発生させる音とは、換言すれば第一の出力部が発生した音声のうち所定の位置の音を打ち消すための音波であり、所定の位置で聴覚可能な音に限られない。なお、第二の出力部は、所定の位置に音を発生させる役割を主に司るが、上述した第一の出力部と同様、打ち消し音を発生させることのみを役割とするものでなく、後述するが、空間で音声を発生させる役割を司る場合がある。
【００１４】
また、前記第一の増幅部は、増幅した音声信号を前記第一の出力部と前記第二の出力部とへ出力し、前記第一の出力部は、前記第一の増幅部から入力される前記第一のコンテンツ信号を含む音声信号を前記第一のスピーカへ出力し、前記第二の出力部は、前記第一の増幅部から入力される音声信号を基に生成した前記第一のコンテンツ信号を打ち消す音声
信号を前記第二のスピーカへ出力するようにしてもよい。
【００１５】
これによれば、音量制御された一の音声信号を分岐させたものを第一の出力部と第二の出力部へ出力しているため、増幅部の構成を簡素化することが可能になる。
【００１６】
また、前記第一の増幅部は、入力される二つの音声信号を略同一の増幅率で並列に増幅処理する第一の増幅機能部と第二の増幅機能部とを有し、前記第一の増幅機能部は、前記第一のコンテンツ信号を増幅して前記第一の出力部へ出力し、前記音響装置は、前記第一の増幅機能部に入力される前記第一のコンテンツ信号を基に前記第一の消音信号を生成し、前記第二の増幅機能部に入力する第一の生成部を備え、前記第一の出力部は、前記第一の増幅機能部が増幅した前記第一のコンテンツ信号を含む音声信号を前記第一のスピーカへ出力し、前記第二の出力部は、前記第二の増幅機能部が増幅した前記第一の消音信号を含む音声信号を前記第二のスピーカへ出力するようにしてもよい。
【００１７】
これによれば、増幅部が少なくとも二の音声信号を同じ増幅率で増幅処理可能なように構成する必要があるため、増幅部の構成が多少複雑になる。しかし、音量制御される前のコンテンツ信号が、打ち消し音を生成する生成部（第一の生成部）に入力されるため、生成部が許容できる音声信号の強度の上限を低く抑えることが可能であり、生成される消音信号の精度も向上できる。
【００１８】
また、前記第一の増幅部は、増幅率の変更操作を受け付ける操作部を更に有し、該操作部が増幅率の変更操作を受け付けると前記第一の増幅機能部と前記第二の増幅機能部の増幅率を同時に変更するようにしてもよい。
【００１９】
これによれば、一つの操作で第一の増幅機能部と第二の増幅機能部の増幅率が同時に変更されるようになるため、打ち消し対象の音の音量変化と打ち消し音の音量変化との間で時間的な遅れが生じることがなくなる。
【００２０】
また、前記音響装置は、車両の車室内の空間で音声を発生する装置であり、前記第一のスピーカは、車室内へ複数配置された座席のうち一の座席が配置される位置に音声を発生させるスピーカであり、前記第二のスピーカは、前記複数配置された座席のうち他の座席が配置される位置に音声を発生させるスピーカであるようにしてもよい。
【００２１】
上記音響装置が行う音響制御は、車両のような一般的に狭い車室内等においてその効果が有効に発揮される。所定位置と第一のスピーカとの間の距離が短く、第一のスピーカから発せされる音が所定位置に届きやすいためである。また、車室内に予め座席が配置されていることにより、上記第一のスピーカや第二のスピーカの設置位置が特定しやすく、適切な消音処理を施すことが可能になる。
【００２２】
また、前記第一のコンテンツ信号と異なる、前記空間で発生させる音声の音源である第二のコンテンツ信号を増幅する第二の増幅部を更に備え、前記第一のスピーカは、前記空間内の第一の位置に音声を発生させるスピーカであり、前記第二のスピーカは、前記空間内の前記第一の位置と異なる第二の位置に音声を発生させるスピーカであり、前記第二の出力部は、前記第二の増幅部が増幅した前記第二のコンテンツ信号と、前記第一の消音信号とを、重畳した音声信号を前記第二のスピーカへ出力し、前記第一の出力部は、前記第一の増幅部が増幅した前記第一のコンテンツ信号と、前記第二の増幅部が増幅した音声信号であって、前記第二の出力部が出力する前記第二のコンテンツ信号を打ち消す第二の消音信号とを、重畳した音声信号を前記第一のスピーカへ出力するようにしてもよい。
【００２３】
上記音響装置によれば、同一空間内で複数の音声を発生させる場合に、第一の位置には
一の音声のみを発生させ、第二の位置には他の音声を発生させることができる。よって、同一空間内において、位置によって別々の音声を聞くことが可能であり、何れかの位置で発生している音声の音量を変更しても、打ち消し音の音量制御が過渡的に遅れることがない。
【００２４】
また、前記消音信号は、打ち消し対象のコンテンツ信号と位相が反転する信号であってもよい。打ち消し対象のコンテンツ信号と逆位相の消音信号がスピーカから出力されることにより、所定位置で音響コンテンツを消音することが可能になる。
【発明の効果】
【００２５】
本発明によれば、打ち消し対象の音の音量変化に対する打ち消し音の音量制御の追従性を改善する音響装置を提供することが可能となる。
【発明を実施するための最良の形態】
【００２６】
以下、本発明を実施するための最良の形態を例示的に説明する。なお、本実施形態に係る音響装置は、車両の車室内で適用されることを前提としているが、本発明はこのような実施形態に限定されるものでなく、建物内部の空間等に適用してもよい。
【００２７】
＜構成＞
図１は、本発明の一実施形態に係る音響装置を適用した音響システム１の構成図である。図１が示すように、音響システム１は、メインユニット２（本発明でいう、音響装置に相当する）、前列シート用のスピーカ３Ｆ（本発明でいう、第一のスピーカに相当する）、及び後列シート用のスピーカ３Ｒ（本発明でいう、第二のスピーカに相当する）を備える。スピーカ３Ｆおよびスピーカ３Ｒは、メインユニット２の出力端子と導線で接続されている。
【００２８】
図２は、メインユニット２の構成図である。図２が示すように、メインユニット２は、打消し音を生成する生成部４、音楽ソースを再生する再生部５、及びアンプ部６を備える。なお、メインユニット２は、これらの各機能部をそれぞれ２つずつ備えており、一方の機能部が前席の音響処理を司り、他方の機能部が後席の音響処理を司る。前席用の音響信号の処理を司る機能部についてはＦ（Front）、後席用の音響信号の処理を主に司る機能
部についてはＲ（Rear）の記号を符号に付して説明する。なお、同一名称の機能部が行う処理内容については記号Ｆ、Ｒとも同様の機能を司る。以下、符号にＦ，Ｒを付さないで説明している箇所については前席用と後席用とで共通する事項について説明しているものとする。
【００２９】
再生部５は、ＣＤやＤＶＤ等の記録媒体に記録された音響コンテンツを再生する再生装置であり、再生した音声データを生成部４、及びアンプ部６へ出力する。なお、再生部５は、ディスク等の記録媒体に記録されたコンテンツを再生するものに限定されるものでなく、例えば、フラッシュメモリーやハードディスクに記録されたコンテンツを再生するものであってもよいし、ＦＭラジオやテレビジョン放送等の放送コンテンツを生成部４やアンプ部６へ出力するものであってもよい。音響コンテンツとは、ユーザが所望する音楽等のコンテンツ類である。なお、再生部５は、前席用（Ｆ）と後席用（Ｒ）とで異なる音響コンテンツを再生することが可能である。
【００３０】
生成部４は、入力される信号の位相を反転させる位相反転器であり、ＡＮＣ（Active Noise Control）処理に必要な打消し音を生成する。生成部４は、再生部５から送られる音声信号の位相を反転し、アンプ部６へ出力する。図３は、生成部４の入力と出力との関係を示すグラフである。図３が示すように、生成部４は、正弦波の音声信号（実線）が入力されると、これと位相を反転した音声信号（破線）を出力する。なお、生成部４は、単に
位相を反転させるのみならず、他席からの漏れ音が耳元で打ち消されるように、耳元までの空間伝達特性等を考慮して打ち消し音を生成する。
【００３１】
アンプ部６は、ユーザの操作に応じて信号の増幅率を増減可能な増幅器であり、再生部５や生成部４から出力される音声信号をスピーカで音波として出力可能な程度に増幅する。アンプ部６は、並列に入力される２つの音声信号を同じ増幅率で並列に増幅処理可能な増幅器であり、２つの信号を増幅処理するための第一増幅機能部６１、及び第二増幅機能部６２を有する。アンプ部６は、ユーザ操作によって増幅率が増減されると（すなわち、ボリュームが上げ下げされると）、並列に入力される２つの音声信号の増幅率を同時に変更する。
【００３２】
スピーカ３は、車室内の座席のヘッドレストに配設されており、メインユニット２の出力端子を介してアンプ部６から出力される電気音声信号を音波に変換する。スピーカ３は、車両の進行方向に対して左右対照に配置されており、車室内に音を出力する。ここで、スピーカ３は、前席用（Ｆ）が車室内の前列シート付近に配置されており、後席用（Ｒ）が車室内の後列シート付近に配置されている。なお、スピーカ３は、アンプ部６から出力される電気音声信号の強度や周波数によって振幅や周期を変えるコイルが内蔵されており、コイルに連結されたコーンがコイルの動きを受けて振動することにより、電気信号を音波に変換する。なお、アンプ部６とスピーカ３との間には、加算部７（本発明でいう、出力部に相当する）が設けられており、再生部５の音声信号と消音信号とを重畳した音声信号がスピーカ３へ出力されるように構成されている。
【００３３】
＜信号の流れ＞
以下、メインユニット２の信号処理の流れについて説明する。ユーザ操作によってメインユニット２が起動し、音響コンテンツの再生操作がされると、メインユニット２では以下のように信号が流れる。すなわち、ユーザ操作によって音響コンテンツの再生操作がされると、再生部５が音響コンテンツの再生を開始する。このとき、ユーザは、再生部５Ｆまたは再生部５Ｒの何れかに音響コンテンツを再生させてもよいし、再生部５Ｆおよび再生部５Ｒの両方に音響コンテンツを再生させてもよい。
【００３４】
まず、一つの再生部５が音響コンテンツを再生している場合について説明する。説明の便宜上、再生部５Ｆが音響コンテンツを再生する場合について説明するが、再生部５Ｒが音響コンテンツを再生する場合についても同様である。再生部５Ｆは、音響コンテンツの再生を開始すると、その音声信号（本発明でいう、第一のコンテンツ信号に相当する）をアンプ部６Ｆの第一増幅機能部６１Ｆ、及び生成部４Ｆへ出力する。生成部４Ｆは、再生部５Ｆから音響コンテンツの音声信号が入力されると、この音声信号の位相を反転し、アンプ部６Ｆの第二増幅機能部６２Ｆへ出力する。アンプ部６Ｆでは、入力された音声信号の増幅処理が行われる。すなわち、アンプ部６Ｆは、ユーザによって設定された増幅率で、第一増幅機能部６１Ｆが再生部５Ｆから出力される音声信号を増幅し、第二増幅機能部６２Ｆが生成部４Ｆから出力される音声信号を増幅する。第一増幅機能部６１Ｆで増幅された音声信号はスピーカ３Ｆへ送られ、この音声信号に基づく音が前列シート付近に発生する。これにより、前列シートに着座しているユーザは、再生部５Ｆが再生する音響コンテンツを聴覚することが出来る。一方、第二増幅機能部６２Ｆで増幅された音声信号は消音信号としてスピーカ３Ｒへ送られ、この消音信号に基づく音が後列シート付近に発生する。ここで、後列シート付近に配設されているスピーカ３Ｒから出力される音は、前列シート付近に配設されているスピーカ３Ｆから出力される音と逆位相の音である。よって、前列シート付近に配置されたスピーカ３Ｆから出力され、後席シートに届く音は、スピーカ３Ｒから出力される逆位相の音によって消音される。これにより、後席シートに着座しているユーザには、スピーカ３Ｆから出力される音が聞こえなくなる。
【００３５】
ここで、スピーカ３Ｆへ送られる音声信号と、スピーカ３Ｒへ送られる消音信号は、共に同一のアンプ部６Ｆで増幅された音声信号である。よって、ユーザがアンプ部６Ｆの増幅率を増減操作する場合に、スピーカ３Ｒへ送られる消音信号の増幅率の変化がスピーカ３Ｆへ送られる音声信号の増幅率の変化に遅れることが無い。これにより、従来技術に比べて打消し音の音量制御の追従性を高めることが可能になる。
【００３６】
次に、再生部５Ｆと再生部５Ｒが音響コンテンツを同時に再生している場合について説明する。なお、説明の便宜上、上述した音響システム１の再生状態（すなわち、再生部５Ｆが音響コンテンツを再生している状態）で、再生部５Ｒを追加起動するところから説明する。再生部５Ｆが音響コンテンツを再生している状態で再生部５Ｒがユーザ操作により音響コンテンツの再生を開始すると、再生部５Ｒは音声信号（本発明でいう、第二のコンテンツ信号に相当する）をアンプ部６Ｒの第一増幅機能部６１Ｒ、及び生成部４Ｒへ出力する。生成部４Ｒは、再生部５Ｒから出力される音響コンテンツの音声信号が入力されると、この音声信号の位相を反転し、アンプ部６Ｒの第二増幅機能部６２Ｒへ出力する。アンプ部６Ｒでは、入力された音声信号の増幅処理が行われる。すなわち、アンプ部６Ｒは、ユーザによって設定された増幅率で、第一増幅機能部６１Ｒが再生部５Ｒから出力される音声信号を増幅し、第二増幅機能部６２Ｒが生成部４Ｒから出力される音声信号を増幅する。第一増幅機能部６１Ｒで増幅された音声信号は、アンプ部６Ｆの第二増幅機能部６２Ｆから出力される消音信号と加算部７Ｒで重畳され、スピーカ３Ｒへ送られる。スピーカ３Ｒは、消音信号が重畳された音声信号に基づいて後列シート付近に音を発生する。これにより、後列シートに着座しているユーザは、前列シートに着座しているユーザが聴覚する音響コンテンツと異なる、再生部５Ｒが再生する音響コンテンツのみを聴覚することが出来る。一方、アンプ部６Ｒの第二増幅機能部６２Ｒで増幅された音声信号は消音信号としてスピーカ３Ｆへ送られる。このとき、この消音信号は、アンプ部６Ｆの第一増幅機能部６１Ｆから出力される音声信号と加算部７Ｆで重畳された後、スピーカ３Ｆへ送られる。スピーカ３Ｆは、消音信号が重畳された音声信号に基づいて前列シート付近に音を発生する。これにより、前列シートに着座しているユーザは、後列シートに着座しているユーザが聴覚する音響コンテンツと異なる、再生部５Ｆが再生する音響コンテンツのみを聴覚することが出来る。また、スピーカ３Ｒへ送られる音声信号と、スピーカ３Ｆへ送られる消音信号は、共に同一のアンプ部６Ｒで増幅された音声信号である。よって、ユーザがアンプ部６Ｒの増幅率を増減操作する場合に、スピーカ３Ｆへ送られる消音信号の増幅率の変化がスピーカ３Ｒへ送られる音声信号の増幅率の変化に遅れることが無い。これにより、従来技術に比べて打消し音の音量制御の追従性を高めることが可能になる。
【００３７】
＜効果＞
以上、上記メインユニット２によれば、音響コンテンツの音声信号を増幅するアンプ部６が、この音響コンテンツの音を打ち消す音声信号も増幅する。よって、ユーザが音量を変化させる際、スピーカ３から出力される音響コンテンツの音を打ち消す音の音量変化が、音響コンテンツの音の音量変化に遅れることが無くなる。
【００３８】
＜変形例＞
以下、上記メインユニット２の変形例について説明する。図４は、本変形例に係るメインユニット２’の構成図である。なお、説明の便宜上、上述の機能部と同様の機能を奏するものについては同一の符号を付し、その詳細な説明を省略する。
【００３９】
図４が示すように、本変形例に係るメインユニット２’は、打消し音を生成する生成部４、音楽ソースを再生する再生部５、及びアンプ部６’を備える。本変形例に係るアンプ部６’は、上述した実施形態のアンプ部６と異なり、ユーザの操作に応じて信号の増幅率を増減可能な増幅器であるものの、再生部５から出力される音声信号を増幅するだけであり、生成部４から出力される音声信号は増幅しない。また、アンプ部６’は、生成部４か
ら出力される音声信号を増幅したら、スピーカ３と生成部４の両方に出力する。よって、アンプ部６’は、ユーザ操作によって増幅率が増減されると（すなわち、ボリュームが上げ下げされると）、スピーカ３と生成部４に出力する音声信号の増幅率を両方とも同時に変更する。
【００４０】
＜変形例の信号の流れ＞
以下、メインユニット２’の信号処理の流れについて説明する。ユーザ操作によってメインユニット２’が起動し、音響コンテンツの再生操作がされると、メインユニット２’では以下のように信号が流れる。すなわち、ユーザ操作によって音響コンテンツの再生操作がされると、再生部５が音響コンテンツの再生を開始する。このとき、ユーザは、再生部５Ｆまたは再生部５Ｒの何れかに音響コンテンツを再生させてもよいし、再生部５Ｆおよび再生部５Ｒの両方に音響コンテンツを再生させてもよい。
【００４１】
再生部５Ｆが音響コンテンツの再生を開始すると、その音声信号がアンプ部６’Ｆに入力される。アンプ部６’Ｆは、入力された音声信号を増幅し、スピーカ３Ｆと生成部４Ｆに出力する。生成部４Ｆは、アンプ部６’Ｆから出力される音声信号の位相を反転し、スピーカ３Ｒへ出力する。これにより、アンプ部６Ｆで増幅された音声信号はスピーカ３Ｆから音として前列シート付近に出力され、生成部４Ｆで位相が反転された音声信号である消音信号はスピーカ３Ｒから音として後列シート付近に出力される。これにより、前列シートに着座しているユーザは、再生部５Ｆが再生する音響コンテンツを聴覚することが出来る。また、後席シートに着座しているユーザには、スピーカ３Ｆから出力される音が聞こえなくなる。
【００４２】
また、再生部５Ｒがユーザ操作により音響コンテンツの再生を開始した場合、その音声信号がアンプ部６’Ｒに入力される。アンプ部６’Ｒは、入力された音声信号を増幅し、スピーカ３Ｒと生成部４Ｒに出力する。生成部４Ｒは、アンプ部６’Ｒから出力される音声信号の位相を反転し、スピーカ３Ｆへ出力する。アンプ部６’Ｒからスピーカ３Ｒへ出力される音声信号は、生成部４Ｆから出力される音声信号と加算部７Ｒで重畳された後、スピーカ３Ｒへ送られる。また、生成部４Ｒから出力される音声信号である消音信号は、アンプ部６’Ｆからスピーカ３Ｆへ出力される音声信号と加算部７Ｆで重畳された後、スピーカ３Ｆへ送られる。これにより、上記実施形態と同様、前列シートと後列シートのユーザとで異なる音響コンテンツを聴覚することが可能となる。また、アンプ部６’によって増幅された音声信号を使って生成部４が打消し音の信号である消音信号を生成しているため、ユーザがアンプ部６’の増幅率を増減操作する場合に、消音信号の増幅率の変化が音声信号の増幅率の変化に遅れることが無い。これにより、上述した実施形態のメインユニット２と同様、従来技術に比べて打消し音の音量制御の追従性を高めることが可能になる。
【図面の簡単な説明】
【００４３】
【図１】音響システムの構成図。
【図２】メインユニットの構成図。
【図３】生成部の入力と出力との関係を示すグラフ。
【図４】変形例に係るメインユニットの構成図。
【図５】従来技術に係る音響装置の構成図。
【符号の説明】
【００４４】
１・・・音響システム
２・・・メインユニット
３・・・スピーカ
４・・・生成部
５・・・再生部
６，６’・・・アンプ部
７・・・加算部
６１・・・第一増幅機能部
６２・・・第二増幅機能部
【図１】
2009151145.tif 000003
【図２】
2009151145.tif 000004
【図３】
2009151145.tif 000005
【図４】
2009151145.tif 000006
【図５】
2009151145.tif 000007